(57)【要約】【課題】出力する地図情報の容量を削減する技術を提供する。【解決手段】本開示による地図情報生成装置は、車両の自動運転制御に用いる地図情報を生成する地図情報生成装置であって、車両の現在位置から第１距離の範囲の経路情報と、車両の現在位置から第１距離よりも短い第２距離の範囲の第１地図情報とを生成し、出力する。【選択図】図４
2019184499.tif 000002
【特許請求の範囲】
【請求項１】
車両の自動運転制御に用いる地図情報を生成する地図情報生成装置であって、
前記車両の現在位置を取得する位置取得部と、
前記車両の前記現在位置から目的地までの走行予定経路を記述した経路情報を取得する経路情報取得部と、
高精度地図情報を取得する地図情報取得部と、
前記車両の現在位置と前記経路情報とに基づいて、前記地図情報取得部が取得した高精度地図情報から所望の地図情報を取得して出力する地図情報生成部と、を備え、
前記地図情報生成部は、前記車両の現在位置から第１距離の範囲の前記経路情報と、前記車両の現在位置から前記第１距離よりも短い第２距離の範囲の第１地図情報とを生成する、地図情報生成装置。
【請求項２】
請求項１において、
さらに、前記走行予定経路を構成する道路のレーンのうち前記車両が走行することを推奨する推奨レーンを示す推奨レーン情報を取得する推奨レーン情報取得部を備え、
前記地図情報生成部は、前記第１距離の範囲の経路情報に、前記第１距離の範囲に含まれる前記推奨レーン情報を含める、地図情報生成装置。
【請求項３】
請求項１において、
前記地図情報生成部は、前記経路情報で示される経路に沿った前記第２距離の範囲の第１地図情報を生成する、地図情報生成装置。
【請求項４】
請求項３において、
前記地図情報生成部は、さらに、前記車両の現在位置から前記第２距離よりも短い第３距離を半径とする範囲の第２地図情報を生成する、地図情報生成装置。
【請求項５】
請求項４において、
前記第１地図情報は、前記経路に沿った道路の区画線と地物の情報を含み、
前記第２地図情報は、前記経路に沿った地物以外の、前記第３距離を半径とする範囲の地物の情報を含む、地図情報生成装置。
【請求項６】
請求項１において、
前記地図情報生成部は、第１時点よりも時間的に後の第２時点においては、前記第２時点で生成した情報のうち前記第１時点で生成した情報に含まれる情報を出力せず、前記第２時点で新たに生成した情報のみ出力する、地図情報生成装置。
【請求項７】
請求項１に記載の地図情報生成装置と、
前記地図情報生成装置から前記第１距離の範囲の経路情報と前記第２距離の範囲の第１地図情報とを受信し、前記車両の自動運転を制御する自動運転制御装置と、
を備える自動運転システム。
【請求項８】
請求項７において、
前記自動運転制御装置は、前記経路情報を前記車両の走行計画を立てる際に用い、前記第１地図情報を前記車両の走行時制御の際に用いる、自動運転システム。
【請求項９】
車両の自動運転制御に用いる情報を生成する自動運転制御情報生成装置であって、
前記車両の現在位置を取得する位置取得部と、
前記車両の走行計画を立てる際に用いる第１種情報と、前記車両の走行制御の際に用いる第２種情報とを生成して出力する自動運転制御情報生成部と、を備え、
前記自動運転制御情報生成部は、前記車両の現在位置から第１距離の範囲の前記第１種情報と、前記車両の現在位置から前記第１距離よりも短い第２距離の範囲の前記第２種情報とを生成する、自動運転制御情報生成装置。
【発明の詳細な説明】
【技術分野】
【０００１】
本開示は、地図情報生成装置、自動運転システム、および自動運転制御情報生成装置に関する。
【背景技術】
【０００２】
現在、車両を自動運転する技術が盛んに開発されている。自動運転においては、車両の現在位置を判定することが重要である。車両の現在位置は一般に、例えばＧＮＳＳ（Ｇｌｏｂａｌ  Ｎａｖｉｇａｔｉｏｎ  Ｓａｔｅｌｌｉｔｅ  Ｓｙｓｔｅｍ）によって車両の現在座標を特定し、さらにセンサによって車両の方位を特定することにより、判定することができる。
【０００３】
ＧＮＳＳを用いたナビゲーション技術においては、地図情報をデータベース（ＤＢ）等の記憶部に記憶するとともに、ユーザが目的地を入力することにより、記憶部に記憶した地図情報に基づいて入力した目的地までの経路案内ルートを探索する。
【０００４】
例えば、特許文献１は、「高度運転支援システムによる制御に対応可能なルート探索を実行すること」を課題として、「車両が高度運転支援制御により走行する高度運転支援制御許容区間の情報を含む地図情報を記憶する記憶部と、車両の現在位置情報を取得する取得部と、現在位置情報で示される位置から目的地までの経路を探索する探索部と、目的地までの経路の変更入力を受け付ける入力受付部と、ユーザが車両を運転可能か否かを判定する判定部を備え、探索部は、高度運転支援制御許容区間において、変更入力を受け付けた場合であって、判定部が車両のユーザが車両を運転不可能であると判定しているときには、高度運転支援制御許容区間以外への経路の変更を実行しない」という技術を開示している（特許文献１の要約参照）。
【先行技術文献】
【特許文献】
【０００５】
【特許文献１】特開２０１７−１０６８６３号公報
【発明の概要】
【発明が解決しようとする課題】
【０００６】
通常、高精度地図ＥＣＵ（地図情報生成装置）は、自動運転ＥＣＵ（自動運転制御装置）から取得したＩＶＩ（Ｉｎ−Ｖｅｈｉｃｌｅ  Ｉｎｆｏｔａｉｎｍｅｎｔ）地図経路情報に基づいて、高精度経路に変換し、それに対応する高精度地図情報を自動運転制御装置に出力する。この高精度地図情報は、自動運転制御装置側において、走行計画の生成、走行時制御、および走行時の周辺情報の提供などの処理に用いられる。
【０００７】
特許文献１のように複数の硬度運転支援制御を実行する場合、走行計画を生成するために取得する経路情報（例えば、ノードとリンクの情報）の範囲と、走行時の制御を行うために取得する経路沿いの情報（経路沿いの、地図情報、区画線情報、および地物情報など）の範囲とは同程度の範囲（例えば、車両から数ｋｍ先までの範囲）となる。
【０００８】
しかしながら、走行計画を生成するために取得する経路情報と走行時の制御を行うために取得する経路沿いの情報とを同程度の範囲で取得するとデータ量が過大となり、自動運転制御装置側の処理の負荷も大きくなってしまうという課題がある。
本開示はこのような状況に鑑みてなされたものであり、出力する地図情報の容量を削減する技術を提供する。
【課題を解決するための手段】
【０００９】
本発明者が上記課題を鋭意検討した結果、経路情報（ノードとリンクの情報）は走行計画生成のためには比較的広範囲に必要であるものの、経路沿いの情報は自動走行で必要な分の情報量で充分であり、経路情報と同程度の範囲までは必要ないことを突き止めた。また、走行時の周辺情報に関してはさらに範囲を狭めても自動運転制御には影響しないことが判明した。
【００１０】
本開示による地図情報生成装置は、車両の自動運転制御に用いる地図情報を生成する地図情報生成装置であって、車両の現在位置から第１距離の範囲の経路情報と、車両の現在位置から第１距離よりも短い第２距離の範囲の第１地図情報とを生成し、出力する。
【００１１】
本開示に関連する更なる特徴は、本明細書の記述、添付図面から明らかになるものである。また、本開示の態様は、要素及び多様な要素の組み合わせ及び以降の詳細な記述と添付される特許請求の範囲の様態により達成され実現される。
本明細書の記述は典型的な例示に過ぎず、特許請求の範囲又は適用例を如何なる意味に於いても限定するものではないことを理解する必要がある。
【発明の効果】
【００１２】
本開示によれば、高精度地図ＥＣＵから出力される地図情報の容量を削減することができる。
【図面の簡単な説明】
【００１３】
【図１】本実施形態に係る自動運転システム１の構成例を示す図である。
【図２】推奨レーンの候補ごとに優先度を付与した例を示す図である。
【図３】経路情報変換部１７が推奨レーンの優先度をセットする手順を説明する図である。
【図４】本実施形態による地図情報出力部１６の内部構成例を示す図である。
【図５】本実施形態における情報出力（送信）の一例を示す図である。
【発明を実施するための形態】
【００１４】
＜自動運転システムの構成例＞
図１は、本実施形態に係る自動運転システム１の構成例を示す図である。この自動運転システム１は、詳細経路情報や高精度地図情報などを生成して出力する高精度マップＥＣＵ１０（ＨＤ  ＭＡＰ  ＥＣＵ：地図情報生成装置）と、自動運転に関する各種制御を司る自動運転ＥＣＵ２０（ＡＤ  ＥＣＵ：自動運転制御装置）と、通信モジュール３０とを備えて構成される。高精度マップＥＣＵ１０は、自動運転の対象とされる車両（図示せず）に搭載され、その経路に関する情報を生成する経路生成装置として機能する演算制御部である。
【００１５】
高精度マップＥＣＵ１０と自動運転ＥＣＵ２０とは、例えば周知の通信規格であるイーサネット（Ｅｔｈｅｒｎｅｔ）により接続され得る。また、自動運転ＥＣＵ２０及び通信モジュール３０は、図示しない外部機器と、例えばＣＡＮ、ＬＩＮ、ＭＯＳＴ、ＦｌｅｘＲａｙ等の通信規格、又はこれらの組合せにより接続可能とされている。列記された通信規格は一例であり、これに限定されるものではない。
【００１６】
自動運転ＥＣＵ２０は、自動運転のためのＩＶＩ（In-Vehicle Infotainment）経路情報を高精度マップＥＣＵ１０に向けて出力するともに、ＩＶＩ経路情報及び高精度地図情報に基づいて高精度マップＥＣＵ１０において生成される詳細経路情報（走行予定経路）を利用して自動運転制御を実行する制御部である。ＩＶＩ経路情報は、車両に搭載されたナビゲーションシステム(図示せず)において生成され、現在地と目的地との間の経路に沿った複数の地点の緯度及び経度に関する情報等を含む。
【００１７】
高精度マップＥＣＵ１０は、一例として、ジャイロ／加速度センサ１１と、ＧＮＳＳレシーバ１２と、地図更新部１３と、高精度地図情報記憶部１４と、自車位置推定部１５と、地図情報出力部１６と、経路情報変換部１７と、を備えている。
【００１８】
ジャイロ／加速度センサ１１は、車両の角速度、加速度、及び／又は速度を計測する検知器である。ＧＮＳＳレシーバ１２は、ＧＮＳＳシステムから車両の絶対位置座標を取得する受信機である。地図更新部１３は、外部から通信モジュール３０を介して高精度地図の更新データを受信して、高精度地図情報を更新する。高精度地図情報記憶部１４は、更新された高精度地図情報を記憶するデータ保持部である。
【００１９】
自車位置推定部１５（ロケータ）は、ＧＮＳＳレシーバ１２が取得した車両の絶対位置座標に基づき、車両の現在の絶対位置を推定するとともに、ジャイロ／加速度センサ１１が取得した角速度、加速度、車速などの情報を用いて、絶対位置座標を基準とする車両の相対位置を推定する。相対位置は、絶対位置よりも精度の高い車両位置を表すとともに、ＧＮＳＳを介して間欠的に取得する座標を補完する役割も有している。そして、自車位置推定部１５は、算出した車両の位置を高精度地図情報記憶部１４に記憶された高精度地図情報を用いて補正するマップマッチング処理を実行し、補正した車両の位置（自車位置）を地図情報出力部１６に出力するとともに、車両の位置（自車位置）、車両の方位、センサの検知情報、走行道路情報、および走行レーン情報を自動運転ＥＣＵ２０に出力する。なお、自車位置推定部１５は、自動運転ＥＣＵ２０から、自動運転対象の車両に関する車両情報や、車両に搭載されたカメラで撮影された撮像情報（カメラ認識結果）も受信し、相対位置の推定に用いることもできる。
【００２０】
地図情報出力部１６は、高精度地図情報記憶部１４から読み出された高精度地図情報、自車位置推定部１５で推定された車両の現在位置（自車位置）と、経路情報変換部１７で得られた走行予定経路（詳細経路情報）および推奨レーン情報とに基づいて、高精度地図情報記憶部１４を参照し、走行計画を立てるために用いられる経路情報と、走行時制御のために用いられる経路沿い地図情報と、周辺地図情報とを生成し、自動運転ＥＣＵ（自動運転制御装置）２０に出力する。地図情報出力部１６の詳細については後述する。ここで、経路情報は、自車位置から目的地までの経路のうち所定範囲内（例えば、７ｋｍ）の詳細経路情報および推奨レーン情報を含んでいる。経路沿い地図情報は、求められた経路沿いの所定範囲内（例えば、自車位置前方２ｋｍの経路沿い）に存在する道路区間線情報、標識情報、地物情報などを含む地図情報である。また、周辺地図情報は、自車位置の周囲（例えば半径２００ｍ以内）に存在する標識情報、地物情報などを含む地図情報である。
【００２１】
経路情報変換部１７は、自動運転ＥＣＵ２０から取得されたＩＶＩ経路情報（第１経路情報）と、高精度地図情報記憶部１４から得られた高精度地図情報に含まれるリンク／ノードデータとの間でデータマッチングを行い、その結果に従って、ＩＶＩ経路情報よりも高精度な経路情報である詳細経路情報（第２経路情報：走行予定経路）を生成し、自動運転ＥＣＵ２０に出力する。経路情報変換部１７は、更に自車位置推定部１５から車両の位置に関する情報も取得し、詳細経路情報に車両の位置に関する情報を反映させる。そして、経路情報変換部１７は、車両が走行することを推奨するレーンを示す推奨レーン情報を生成して出力する。推奨レーン情報は、推奨レーンごとに算出されたレーンの優先度がペア情報として含む。ここでいう優先度とは、走行予定経路の目的地に到達するために車両が走行することがどの程度望ましいかを表す情報である。推奨レーンの候補を特定する処理については後述する。
【００２２】
＜推奨レーン情報生成処理＞
上述のように、経路情報変換部１７は、詳細経路情報を生成する処理の他、自車が走行することが推奨されるレーンを示す情報を生成し、地図情報出力部１６に送信する。推奨レーン情報を生成する際には、推奨レーンの候補ごとに優先度が付与される。図２は、推奨レーンの候補ごとに優先度を付与した例を示す図である。例えば、走行予定経路が図２左図のように与えられ、実際の道路は図２右図のように構成されていると仮定する。走行予定経路の目的地は分岐路の先に存在する。目的地に到達するためには、分岐路に向かって車両が走行することが望ましいので、分岐路へ向かうレーンは優先度が高くセットされている。分岐路から離れるにしたがって優先度が下がる。分岐路を過ぎると目的地に到達できない場合、分岐路以降のレーンの優先度は最も低くセットされる。目的地に到達できるか否かは、例えば車両が走行する距離が所定範囲内で目的地に到達できるか否かを基準として判定することができる。
【００２３】
図３は、経路情報変換部１７が推奨レーンの優先度をセットする手順を説明する図である。ここでは図２右図のような道路を車両が走行している場面を想定する。高精度地図情報記憶部１４は、レーンをリンクの接続関係によって記述する高精度地図情報を記憶している。図２右図の道路が図３左図のように記述されており、車両は分岐路の先にある目的地に向かっているものとする。
【００２４】
経路情報変換部１７で算出される詳細経路情報（走行予定経路）は、車両の現在位置から目的地へ向かう経路を所定距離分（例えば、７ｋｍ分）記述している。走行予定経路は必ずしも最短経路（以下ではこれをメインパスと呼ぶ）のみを記述しているとは限らず、最短経路から分岐する分岐路（以下ではこれをサブパスと呼ぶ）を併せて記述している場合がある。したがって例えば図３左図のように、目的地に到達することができないレーンも、走行予定経路のなかに含まれる場合がある。経路情報変換部１７は、レーン推奨情報生成処理において、メインパスとサブパスの集合のなかから、推奨レーンを判定する。
【００２５】
経路情報変換部１７は、まず車両の現在位置から目的地までの走行予定経路に含まれる全てのレーンの優先度を初期化する（ステップ（１））。例えば全てのレーンを優先度「低」にセットする。
【００２６】
経路情報変換部１７は、目的地に到達することができないレーンの優先度を最も低くセットする（ステップ（２））。図３においては優先度「×」とした。目的地に到達できるか否かの判定基準は上述の通りである。
【００２７】
経路情報変換部１７は、目的地に対して直接接続されているレーンの優先度を最も高くセットする（ステップ（３））。図３においては優先度「高」とした。ここでいう「直接接続されている」とは、他のレーンを介することなくそのレーン自体が目的地に接続されていることである。以下においても同様である。
【００２８】
経路情報変換部１７は、１つ前のステップにおいて優先度を最も高くセットしたレーンに対して直接接続されているレーンの優先度を、最も高くセットする（ステップ（４））。経路情報変換部１７は、自車の現在位置に到達するまでステップ（４）を繰り返し実施する。以上の手順により、図２右図および図３右図のように、推奨レーンの候補と各候補の優先度がセットされる。経路情報変換部１７は、推奨レーンとその優先度を出力する。例えば高精度地図が記述しているレーンＩＤと優先度をペアにして出力すればよい。
【００２９】
＜地図情報出力部の構成例＞
図４は、本実施形態による地図情報出力部１６の内部構成例を示す図である。地図情報出力部１６は、推奨レーン情報取得部１６１と、経路情報取得部１６２と、位置取得部１６３と、地図情報取得部１６４と、地図情報生成部１６５と、を備えている。
【００３０】
推奨レーン情報取得部１６１は、経路情報変換部１７から推奨レーン情報を取得する。経路情報取得部１６２は、経路情報変換部１７から、詳細経路情報を走行経路として取得する。位置取得部１６３は、自車位置推定部１５から自車の現在位置の情報を取得する。
地図情報取得部１６４は、地図情報生成部１６５からの指令に基づいて、高精度地図情報記憶部１４から必要な地図情報を取得する。
【００３１】
地図情報生成部１６５は、自動運転ＥＣＵ２０側で走行計画を立てるために必要な情報である、推奨レーン情報を含む経路情報に関しては、現在位置の情報、走行予定経路の情報、および推奨レーン情報と、を用いて、第１距離先までの経路情報（一例として、７ｋｍ先までの経路情報であるが、７ｋｍには限定されない）および推奨レーン情報を生成する。具体的には、現在位置から目的地までの経路を特定し、そのうち現在位置から第１距離先までのリンクとノードの情報（ノードの位置情報、およびリンクの長さ情報）が経路情報として生成される。また、自動運転ＥＣＵ２０側でどのレーンを走行すれば良いか決定するための推奨レーン情報が経路情報に含められる。
【００３２】
また、地図情報生成部１６５は、走行時の制御を可能にするための情報として、走行経路沿いの地図情報であって、自車位置からを特定し、第１距離よりも短い第２距離先（一例として、２ｋｍ先であるが、これに限定されない）までの地図情報を特定して取得するように地図情報取得部１６４に指令を出す。そして、地図情報生成部１６５は、地図情報取得部１６４から当該指令に応答して該当する地図情報を取得する。この経路沿い地図情報は、例えば、経路沿いの道路の区画線情報（区画線の位置、長さなど）、経路沿いの地物の情報（地物の種類、位置など）、経路沿いの標識の情報（標識の種別、位置など）を含む情報である。なお、地物とは、例えば、国土地理院の定義に従った物の概念であり、天然と人工にかかわらず、地上にあるすべての物の概念のことで、河・山・植物・橋・鉄道・建築物・行政界など、実世界に存在するものに与えられるものを意味している。
【００３３】
さらに、地図情報生成部１６５は、自車位置の周辺（第２距離よりも短い第３距離を半径とする範囲：一例として半径２００ｍの範囲であるが、これに限定はされない）の地図情報を取得するように地図情報取得部１６４に指令を出す。そして、地図情報生成部１６５は、地図情報取得部１６４から当該指令に応答して該当する地図情報を取得する。周辺の地図情報は、例えば、自車の周囲２００ｍに存在する地物（地物の種類、位置など）、標識の情報（標識の種類、位置など）、走行経路とは関係ない近辺道路の情報、反対走行車線の情報、後方の走行する他の車両の情報などを含む情報である。
【００３４】
また、地図情報出力部１６は、走行中の自車に関し、経路情報、経路沿い地図情報、および周辺地図情報を自動運転ＥＣＵ２０に出力（送信）する場合、前回出力した情報と今回生成した情報との差分のみを自動運転ＥＣＵ２０に出力するようにしてもよい。
【００３５】
＜差分情報の送信について＞
図５は、本実施形態における情報出力（送信）の一例を示す図である。時刻Ｔ１に自車がノードＡとノードＢとの間を走行しているとき（図５左図参照）には、地図情報出力部１６は、車が位置するリンクの始点となるノードＡから７ｋｍ先までに含まれるノードまでの経路情報と、ノードＡから２ｋｍ先（例えば、ノードＣまで）の経路沿い地図情報（経路沿いの標識情報や地物情報等はノード間のリンクに紐づけられている）と、自車の位置から半径２００ｍの周辺地図情報とを出力する。なお、周辺地図情報は、必ずしもリンクと紐づけられた情報ではなく、自車位置の半径２００ｍの範囲内に存在する地物等の情報が取得され、出力される。そして、時刻Ｔ２（Ｔ２＞Ｔ１）に自車がノードＢとノードＣとの間を走行しているとき（図５右図参照）には、地図情報出力部１６は、自車が位置するリンクの始点となるノードＢから７ｋｍ先までに含まれるノードまでの経路情報と、ノードＢから２ｋｍに含まれるノードＤまでの経路沿い地図情報と、自車の位置から半径２００ｍの周辺地図情報とを出力するのではなく、時刻Ｔ２において時刻Ｔ１で取得できなかった情報のみ、即ち、時刻Ｔ２に取得する情報のうち時刻Ｔ１で取得できた情報を時刻Ｔ２に取得する情報から差し引いて得られる情報（差分情報）を出力するようにする。図５右図の例では、経路沿い地図情報の関しては、ノードＣとノードＢの間のリンクに紐づけられた地物などの情報が出力されることになる。
【００３６】
なお、上記図５の説明では、自車が走行する経路のリンクの始点となるノードから経路情報の取得範囲（７ｋｍ）および経路沿い地図情報の取得範囲（２ｋｍ）を決定しているが、自車の現在位置から情報取得範囲を決定してもよい。また、上記図５の説明では、経路情報取得範囲（７ｋｍ）に含まれるノードまでを経路情報の取得範囲、経路沿い地図情報取得範囲（２ｋｍ）に含まれるノードまでを経路沿い地図情報の取得範囲としているが、自車の現在位置から７ｋｍや２ｋｍまでを情報取得範囲としてもよい。また、自車の現在位置から７ｋｍや２ｋｍがある２つのノード間のリンク上にある場合に、当該リンクの終点のノードまでを情報の取得範囲としてもよい。また、推奨レーン情報を含む経路情報（７ｋｍ分）については差分で情報を出力しなくてもよい。
【００３７】
＜まとめ＞
（i）以上のように、本実施形態では、地図情報を自動運転ＥＣＵ２０に出力する場合、推奨レーン情報を含む経路情報については自車位置から７ｋｍの範囲で出力するが、経路沿い地図情報については２ｋｍの範囲のみを出力する。また、周辺環境（周辺地図情報）については、自車位置の半径２００ｍの範囲のみを出力する。すなわち、経路情報出力距離＞経路沿い地図情報出力距離＞周辺地図情報出力距離の関係を満たしている。経路はある程度長い距離を必要とするため、比較的長い距離の範囲で情報出力するが、自動運転制御において自車の自動走行で必要になってくる地図／周辺環境の情報のような細かい情報は経路情報よりも短い距離の範囲で十分である。このようにすることにより、処理すべきデータ量を削減することできる。このため、高精度マップＥＣＵ１０および自動運転ＥＣＵ２０の処理の負荷を軽減できるようになる。
【００３８】
（ii）本実施形態では、地図情報生成装置（高精度地図ＥＣＵ）は、車両の現在位置から目的地までの間の第１距離の範囲（例えば、現在位置から７ｋｍ）の経路情報と、車両の現在位置から第１距離よりも短い第２距離（例えば、現在位置から２ｋｍ）の範囲の第１地図情報とを生成して出力する。このように、経路情報よりも地図情報の生成範囲を狭くすることにより、自動運転制御装置側に送信すべきデータの量を削減することができる。
【００３９】
また、第１地図情報は、現在位置から目的地までの経路に沿った場所の地図情報（経路沿いの情報に限定される）である。これにより、車両の走行制御に必要不可欠な情報を過不足なく出力することができる。
【００４０】
さらに、地図情報生成装置は、車両の現在位置から第２距離よりも短い第３距離（例えば、現在位置から２００ｍ）を半径とする範囲の第２地図情報を生成して出力する。第２地図情報は、走行経路沿いの地図情報に限定されるものではなく、車両の前後・左右の全方向に存在する地物の情報を含んでいる。これにより、自動運転ＥＣＵ側では車両の周囲環境を把握することができる。また、この周囲環境の情報（第２地図情報）は第１地図情報よりもさらに細かい（詳細な）情報（経路とは無関係な建物や道路等の情報も含む）であるため、経路沿いの地図情報よりもデータ量を削減している。
【００４１】
また、本実施形態において、自動運転ＥＣＵ側に出力する情報を更新する場合、前回（Ｔ１の時点）出力した情報に含まれる情報は出力（送信）せず、今回（Ｔ２の時点）新たに生成した情報のみを出力（送信）する（ここでは、「差分情報のみの送信処理」と呼ぶこととする）。これによりさらに出力すべきデータの量を削減することができる。差分情報のみの送信処理は、経路情報（推奨レーン情報を含む）、第１地図情報、および第２地図情報の全てに適用してもよいし、第１地図情報、および第２地図情報の一方、あるいは両方にのみ適用してもよい。
【００４２】
なお、本実施形態による地図情報生成装置（高精度地図ＥＣＵ）は、車両の自動運転制御に用いる情報を生成する自動運転制御情報生成装置と呼ぶことも可能である。この場合、自動運転制御情報生成装置は、車両の現在位置を取得する位置取得部と、車両の走行計画を立てる際に用いる第１種情報と、車両の走行制御の際に用いる第２種情報とを生成して出力する自動運転制御情報生成部（地図情報生成部１６５に相当）と、を備えている。そして、自動運転情報生成部は、車両の現在位置から第１距離の範囲の第１種情報（経路情報）と、車両の現在位置から第１距離よりも短い第２距離の範囲の第２種情報（経路沿い地図情報）とを生成して、自動運転ＥＣＵに出力する。このように、送信すべき情報の種類に応じて、生成すべき範囲（車両の現在位置からどこまで生成するか）を異ならしめることにより、出力されるデータ量を削減し、高精度地図ＥＣＵおよび自動運転ＥＣＵにおける処理の負荷を軽減することができる。
【００４３】
（iii）変形例について
本開示は上記実施形態に限定されるものではなく、様々な変形例が含まれる。例えば、上記実施形態は本開示を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００４４】
上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４５】
１  自動運転システム
１０  高精度地図ＥＣＵ
２０  自動運転ＥＣＵ
３０  通信モジュール
１１  ジャイロ／加速度センサ
１２  ＧＮＳＳレシーバ
１３  地図更新部
１４  高精度地図情報記憶部
１５  自車位置推定部
１６  地図情報出力部
１７  経路情報変換部
【図１】
2019184499.tif 000003
【図２】
2019184499.tif 000004
【図３】
2019184499.tif 000005
【図４】
2019184499.tif 000006
【図５】
2019184499.tif 000007